(57)【要約】【課題】初心者でも容易にサージを形成することができ、しかも、美しいツノ部を形成可能な頭巾を提供する。【解決手段】布体からなる縁無帽状の頭巾本体と、この頭巾本体の下面開口部の周端縁にそれぞれ長手側縁部の一部を連接するとともに、前記頭巾本体の後方へそれぞれ伸延する帯状の左右巻き締め部と、を有し、前記頭巾本体の前側部に前面開口のツノ部をドーマー状に形成した。【選択図】図１
0003133560.tif 000002
【実用新案登録請求の範囲】
【請求項１】
布体からなる縁無帽状の頭巾本体と、
この頭巾本体の下面開口部の周端縁にそれぞれ長手側縁部の一部を連接するとともに、前記頭巾本体の後方へそれぞれ伸延する帯状の左右巻き締め部と、
を有し、
前記頭巾本体の前側部に前面開口のツノ部をドーマー状に形成したことを特徴とする祭事用頭巾。
【請求項２】
前記巻き締め部は、幅方向に幾重に巻き上げてロープ状に形成可能であり、かつ、頭部の鉢周りに巻回可能であることを特徴とする祭事用頭巾。
【請求項３】
前記頭巾本体は、前記巻き締め部と同質の布体からなり、後頭部から頭頂部にかけて緩やかに湾曲させた被覆部を前頭部側にせり出して形成し、このせり出した端部を前記ツノ部としたことを特徴とする請求項１または請求項２に記載の祭事用頭巾。
【考案の詳細な説明】
【技術分野】
【０００１】
本考案は、祭事の際に頭部に巻回して使用する頭巾に関する。
【背景技術】
【０００２】
従来、頭巾は頭髪の乱れを隠したり、頭部を保護するために使用されており（例えば、実用新案文献１参照）、また、祭事の際には伝統衣装としても着用されている。
【０００３】
なかでも祭事の際に着用する頭巾（祭事用頭巾）は、頭部の汗が額から顔面にかけて流下するのを防ぐという実用的な目的の他に、伝統的なファッションスタイルを誇示することで、祭事を盛り上げるという役割も担っている。
【０００４】
特に、沖縄地方で行われるエイサーは、頭巾と伝統衣装とを着用して華やかに行われる祭りとして知られており、毎年多くの観光客を集めて賑わいを見せている。
【０００５】
このエイサーでは、伝統的な衣装として、打掛（うちかけ）、襦袢（じゅばん）、帯又はモス布、エイサー用ズボン、及び脚絆（きゃはん）等を着用し、頭部にモス布と言われる頭巾を巻回し、サージと呼ばれる独特の形状に成形して祭りに参加する。
【０００６】
サージの巻き方には、種々の変法が知られているが、基本的には同じであり、図５及び図６を参照しながら一例を述べる。
【０００７】
（１）まず、使用者Ａは、例えば図５に示すような平面視矩形状の横長の布51（モス布）を、図６の（１）の如く左右の長さを略同じ長さにして、頭から被る。
（２）次に、左右の布51を内側に向かって半分位ねじり、左ねじり部53a及び右ねじり部53bを形成する。この際、前頭部近傍の布51の折り目52が、後に頭の真ん中に角ばって立つ部分になるので、折り目52近傍に余裕を持たせておく。
（３）左ねじり部53a及び右ねじり部53bを、額の部分で交差させ、ねじり部54を形成しながら頭部に巻回す。
（４）更にもう一度、布51をねじりながら、額の部分で交差させつつ巻回す。
（５）再びねじりながら、左右ねじり部53を頭の後へ持って行く。このとき、折り目52が額の中心からずれないように注意する。
（６）後頭部近傍で、さらに布51をねじりながら結び目55を形成する。
（７）折り目52をねじり部54から上方へ引き出して、ツノ部56を形成する。
（８）ツノ部56の形状を整えるとともに、髪の毛や耳の部分を整えて完成する。
【０００８】
上述した方法により、サージの形成を行っている。
【特許文献１】実用新案登録第３０９０４６７号公報
【考案の開示】
【考案が解決しようとする課題】
【０００９】
ところが、モス布を頭部に巻回し、サージ独特の伝統的な形状に成形するのは非常に困難である。
【００１０】
すなわち、従来のサージは、図６に示すような１枚のモス布と呼ばれる細長い布を頭に巻くのであるが、巻くことにより非常に複雑な構造を形作るので、着用に約１時間も要する場合があると言われている。
【００１１】
特に、図５に示したツノ部56の形成には熟練を要し、また、不完全な形状のツノ部56では格好が悪く、祭事の際に恥ずかしい思いをする場合があった。
【００１２】
また、観光客等がエイサー祭りに参加したい場合でも、サージを頭部に形成するのが困難なため、サージなしでエイサーに参加したり、エイサーへの参加を断念せざるを得ない場合があった。
【００１３】
本考案は、斯かる事情に鑑みてなされたものであって、初心者でも容易にサージを形成することができ、しかも、美しいツノ部を形成可能な頭巾を提供することを目的としている。
【課題を解決するための手段】
【００１４】
そこで、上記課題を解決するために、本考案にかかる祭事用頭巾では、布体からなる縁無帽状の頭巾本体と、この頭巾本体の下面開口部の周端縁にそれぞれ長手側縁部の一部を連接するとともに、前記頭巾本体の後方へそれぞれ伸延する帯状の左右巻き締め部と、を有し、前記頭巾本体の前側部に前面開口のツノ部をドーマー状に形成したことを特徴とすることとした。
【００１５】
また、次の点にも特徴を有する。
（１）前記左右巻き締め部は、幅方向に幾重に巻き上げてロープ状に形成可能であり、かつ、頭部の鉢周りに巻回可能であること。
（２）前記頭巾本体は、前記左右巻き締め部と同質の布体からなり、後頭部から頭頂部にかけて緩やかに湾曲させた被覆部を前頭部側にせり出して形成し、このせり出した端部を前記ツノ部としたこと。
【考案の効果】
【００１６】
本考案にかかる請求項１に記載の祭事用頭巾では、布体からなる縁無帽状の頭巾本体と、この頭巾本体の下面開口部の周端縁にそれぞれ長手側縁部の一部を連接するとともに、前記頭巾本体の後方へそれぞれ伸延する帯状の左右巻き締め部と、を有し、前記頭巾本体の前側部に前面開口のツノ部をドーマー状に形成したため、初心者でも容易にサージを形成することができ、しかも、美しいツノ部を形成可能な祭事用頭巾を提供することができる。
【００１７】
また、請求項２に記載の祭事用頭巾では、前記左右巻き締め部は、幅方向に幾重に巻き上げてロープ状に形成可能であり、かつ、頭部の鉢周りに巻回可能であることとしたため、エイサー独自のサージの形状を容易に形成することができる祭事用頭巾とすることができる。
【００１８】
さらに、請求項３に記載の祭事用頭巾では、前記頭巾本体は、前記左右巻き締め部と同質の布体からなり、後頭部から頭頂部にかけて緩やかに湾曲させた被覆部を前頭部側にせり出して形成し、このせり出した端部を前記ツノ部としたため、頭部にぴったりとフィットさせることができ、しかも、美しいツノ部を形成可能な祭事用頭巾とすることができる。
【考案を実施するための最良の形態】
【００１９】
本考案は、布体からなる縁無帽状の頭巾本体と、この頭巾本体の下面開口部の周端縁にそれぞれ長手側縁部の一部を連接するとともに、前記頭巾本体の後方へそれぞれ伸延する帯状の左右巻き締め部と、を有し、前記頭巾本体の前側部に前面開口のツノ部をドーマー状に形成したことを特徴とする祭事用頭巾を提供するものである。
【００２０】
また、他の観点からの本考案にかかる祭事用頭巾は、帯状の長布を長手方向に二つ折りした左右巻き締め部と、この左右巻き締め部の長手縁部一側の折り返し部側に取り付けられた縁無帽状の頭巾本体部と、からなり、前記頭巾本体部の前側部に前面開口のツノ部をドーマー状に形成した祭事用頭巾である。
【００２１】
さらに、他の観点からの本考案にかかる祭事用頭巾は、長手方向に二つ折りした長布の閉塞端部に隣接して袋状の膨出部を形成し、同膨出部に頭を挿入して使用する祭事用頭巾であって、前記膨出部は、直線状の辺部と、略1/4円弧状の曲線部を有する扇形に形成すると共に、同膨出部の辺部を前記閉塞端部の折りしろの延長線上に配設して前高後低状に形成し、しかも、前記辺部の上端部近傍に、開口部を設けている祭事用頭巾であるとも言える。
【００２２】
ここで、布体を形成する生地は特に限定されるものではなく、日本タオルやサラシなどのような厚さ１〜２mm程度の生地であっても良く、また、一般に使用されるフェイスタオルの如く多生柔軟性を有する厚さ３〜６mm程度の生地であっても良い。ただし、バスタオルの如く厚さが６mm以上の生地を用いると、左右巻き締め部に撚りをかけてロープ状にし、頭部の鉢周りに巻回した際に、あまりにも嵩が増してしまうこととなり好ましくない。
【００２３】
また、帯状の左右巻き締め部を形成する長布の大きさは、大人用や子供用等のサイズに合わせて適宜選択することが可能であるが、例えば、長手方向の長さが約200〜400cm、好ましくは約250〜350cm、幅方向の長さが約15〜30cm、好ましくは約18〜25cmの範囲であって、平面視略矩形状の長布を用いることができる。
【００２４】
長手方向の長さが、200cmを下回ると、例えば大人では、本考案にかかる祭事用頭巾を装着する際に、頭部の鉢周りに左右巻き締め部を複数回巻回すことが困難となるため好ましくない。
【００２５】
また、長手方向の長さが、400cmを上回ると、例えば大人であっても、本考案にかかる祭事用頭巾を装着した際に、左右巻き締め部が無駄に長くなり、意匠的に好ましくない。
【００２６】
長手方向の長さを約200〜400cmとすることにより、大柄な大人や小さい子供などにもぴったりとフィットする祭事用頭巾とすることができる。
【００２７】
さらに、長手方向の長さを約250〜350cmとすることにより、大半の大人にぴったりとフィットする祭事用頭巾とすることができる。
【００２８】
また、幅方向の長さは、15cmを下回ると、左右巻き締め部に撚りをかけてロープ状にし、頭部の鉢周りに巻回した際に、ボリューム感がなく好ましくない。
【００２９】
また、幅方向の長さが30cmを上回ると、左右巻き締め部に撚りをかけてロープ状にし、頭部の鉢周りに巻回した際に、あまりにも嵩が増してしまうこととなり好ましくない。
【００３０】
幅方向の長さを約15〜30cmの範囲とすることにより、大柄な大人や小さい子供などが装着した場合であっても、左右巻き締め部を、頭部鉢周りに適度なボリュームを有するねじり鉢巻き状とすることができる。
【００３１】
また、幅方向の長さを約18〜25cmとすることにより、左右巻き締め部を、大半の大人にとって適度なボリュームのねじり鉢巻き状に形成することができる。
【００３２】
なお、本明細書において、ドーマー状とは、例えば一般家屋の屋根から突き出した切妻の小屋根付きの窓、いわゆるルーフドーマーウインドウに似た形状を指す語彙として用いたものであり、本考案にかかる祭事用頭巾を装着した際に、前頭部から頭頂部にかけての曲面に沿った部分を屋根に見立て、同曲面より前方に張り出した開口部を有するツノ部をルーフドーマーウインドウに見立てている。
【００３３】
また、本考案は、左右巻き締め部は、幅方向に幾重にも巻き上げて撚りをかけ、ロープ状に形成可能としており、かつ、このロープ状の左右巻き締め部頭部の鉢周りに巻回可能としている。
【００３４】
したがって、サージ独特のねじり鉢巻状の形状を形成することができるのである。
【００３５】
また、頭巾本体は、左右巻き締め部と同質の布体からなり、後頭部から頭頂部にかけて緩やかに湾曲させた被覆部を前頭部側にせり出して形成し、このせり出した端部を前記ツノ部としている。
【００３６】
それゆえ、サージ独特の形状を容易に形成することができると共に、美しいツノ部を形成することのできる祭事用頭巾とすることができる。
【００３７】
また、本考案にかかる祭事用頭巾によれば、頭部を挿入する位置が決められているので、祭事用頭巾の所定の位置に図柄等を配置しても、装着毎に略同一位置に図柄が現れるようになる。
【００３８】
したがって、所望のキャラクタや図柄を頭巾本体の所定の位置（例えば側頭部近傍や頭頂部近傍）に配置するようにしても良い。
【００３９】
このような構成とすることにより、キャラクタや図柄が所望の位置に現れる、使用者の好みにあったサージを容易に形成することができる。
【００４０】
以下、本考案にかかる祭事用頭巾の一実施形態について、図面を参照しながら説明する。
【００４１】
図１は、本実施形態にかかる祭事用頭巾１の外観を示す説明図である。図１（ａ）は、祭事用頭巾１の前方を示した斜視図であり、図１（ｂ）は祭事用頭巾１の後方を示した斜視図である。
【００４２】
図１にも示すように、本実施形態にかかる祭事用頭巾１は、大別して、使用者の頭部を被覆しながら装着する中空略半球形の頭巾本体２と、同頭巾本体２の左右両側から伸延する左右巻き締め部３，３を備えている。
【００４３】
また、頭巾本体２において、祭事用頭巾１を装着した際に前頭部近傍となる位置には、前頭部よりやや前方に張り出したツノ部４を形成している。
【００４４】
このツノ部４は、一部を前方に向けて開口させることにより形成した開口部５を備えている。
【００４５】
また、本実施形態にかかる祭事用頭巾１は、左右巻き締め部３，３を形成する布と、頭巾本体２を形成する布との２つの布で構成している。
【００４６】
すなわち、図２（ａ）に示す、左右巻き締め部３，３を形成する布としての長布10と、図２（ｂ）に示す頭巾本体形成布20とで祭事用頭巾１を形成している。
【００４７】
本実施形態において用いる長布10は、長手方向の長さが300cm、幅方向の長さが21cmの帯状（矩形状）の長布10であり、素材は、見かけの厚さが１mmのさらし布生地を用いている。
【００４８】
また、頭巾本体形成布20は、中心線26に対して掌対称の形状を有しており、祭事用頭巾１を装着した際に頚部の襟足近傍から左右側頭部にかけて略1/4円弧状に伸延する後方曲線部21,21と、同後方曲線部21,21から前方に直線状に伸延する前方直線部22,22と、同前方直線部22,22の前端から頭巾本体形成布20の内方へ鋭角に屈折して直線状に伸延する立ち上がり直線部24,24と、同立ち上がり直線部24,24の端部同士を直線で結ぶ開口直線部25とで囲まれた形状としている。
【００４９】
また、頭巾本体形成布20の、祭事用頭巾１を装着した際に頚部の襟足近傍となる位置には、同頭巾本体形成布20の一部を内方に切り欠いて切欠部23を形成している。
【００５０】
なお、頭巾本体形成布20もまた、素材は、前述の長布10と同じ見かけの厚さが１mmのさらし布生地を用いている。
【００５１】
また、長布10及び頭巾本体形成布20の縁は、折り曲げてかがっておくことにより、ほつれ等を防止することができる。
【００５２】
そして、頭巾本体形成布20を中心線26より折り畳み、立ち上がり直線部24,24同士を逢着することにより、図３（ａ）に示すように、頭巾本体形成布20の前方に立ち上がり部31を形成する。
【００５３】
この際、開口直線部25は、逢着しない。すなわち、開口直線部25を逢着せずに、中心線26で頭巾本体形成布20を折り畳むことにより、開口部５を形成するようにしている。
【００５４】
また、立ち上がり部31を逢着して形成していることにより、立ち上がり部31の布地の厚みを増して、ツノ部４の形状を安定させるようにしている。
【００５５】
このように、頭巾本体形成布20を中心線26で折り畳み、立ち上がり部31を形成することにより、同頭巾本体形成布20を下面開口部33を備えた縁無帽状（中空略半球状）の立体的な形状に成形することができる。
【００５６】
次いで、前述の後方曲線部21,21と前方直線部22,22とは、略同一直線上となるように布地を調整して下面開口部33の周囲に周端縁32を形成するとともに、長手方向に二つ折りした長布10の縁部34に逢着する。
【００５７】
ここで、長布10と頭巾本体形成布20の逢着は、二つ折りした長布10の折り返し部37に頭巾本体形成布20の立ち上がり部31が連結されるように逢着する。
【００５８】
なお、ここで、長布10の折り返しは、左右均等であってもよく、左右の長さを違えるようにしても良い。
【００５９】
すると、図３（ｂ）に示すように、頭頂部に対応する位置からこう頚部襟足に対応する位置にかけて、後方傾斜部35が形成され、頭巾本体２（頭巾本体形成布20）は、前高後低の平面視略1/4円弧状に成形されることとなる。
【００６０】
すなわち、布地を調整し、後方曲線部21,21を前方直線部22,22と略同一直線上として、縁部34に逢着することにより、布地が歪んで後方傾斜部35を形成することとなる。
【００６１】
このようにして形成した後方傾斜部35は、装着した際に、後頭部近傍にぴったりとフィットすることとなるため、装着した際の見た目を美しくすることができる。
【００６２】
なお、後方傾斜部35は、切欠部23の切り欠きを頭頂部方向へ延長して逢着することにより形成しても良いが、後頭部近傍に縫い目が生じることとなる。
【００６３】
この際、頭巾本体形成布20の複数箇所（本実施形態では２カ所）にギャザー36を形成しながら縁部34に逢着すると良い。
【００６４】
ギャザー36を複数形成しながら逢着することにより、使用した際に頭部形状にぴったりとフィットする祭事用頭巾１とすることができる。
【００６５】
そして、二つ折りした長布10は、それぞれ左右巻き締め部３，３を形成することとなる。
【００６６】
このようにして、本実施形態にかかる祭事用頭巾１を形成することができる。
【００６７】
次に、本実施形態にかかる祭事用頭巾１の装着方法について説明する。
【００６８】
図４は、本実施形態にかかる祭事用頭巾１の装着を順に示した説明図である。
【００６９】
（１）まず、使用者Ａは、祭事用頭巾１の頭巾本体２に頭部を挿入する。この際、立ち上がり部31及びツノ部４が前頭部近傍に位置するように調整する。
（２）次に、顔面に覆い被さった折り返し部37を前頭部方向へ巻き上げて、顔面を露出する。
（３）左右巻き締め部３，３を把持し、撚りをかけながら後頭部方向へ引っ張り、後頭部近傍で一回結ぶ。
（４）左右巻き締め部３，３に、さらに撚りをかけながら、後頭部近傍から左右側頭部近傍まで引っ張る。
（５）額近傍（前頭部近傍）の立ち上がり部31の前まで撚りをかけながら引っ張り、左右巻き締め部３，３をそれぞれ交差させる。
（６）再度左右巻き締め部３，３に撚りをかけながら、後頭部近傍まで引っ張る。
（７）後頭部近傍で結ぶ。
（８）全体形状を整えて完成。
【００７０】
上述した（１）〜（８）に記載の順で本実施形態にかかる祭事用頭巾１を頭部に装着することで、容易にサージを形成することができる。
【００７１】
特に、従来のサージの形成で困難であったツノ部の形成が、本実施形態にかかる祭事用頭巾１によれば、立ち上がり部31をそなえているために、前方へ張り出した形状を容易に行うことができる。
【００７２】
すなわち、後頭部から頭頂部にかけて緩やかに湾曲させた被覆部としての頭巾本体２を前頭部側にせり出して形成し、このせり出した端部をツノ部４としてサージ独特の形状を形成することができる。
【００７３】
しかも、頭巾本体２に予め開口部５を形成しているため、従来と比較してさらに容易にツノ部４の形成を行うことができる。
【００７４】
このようにして、本考案にかかる祭事用頭巾１を、使用者Ａの頭部に巻回して形成したサージは、図４の（８）にも示すように、頭頂部から額や襟足にかけて頭部の略全体を頭巾本体２で覆うとともに、額近傍の鉢周りに、左右巻き締め部３，３を捩りながら形成したロープ状の鉢巻部40を備えることとなる。
【００７５】
また、特徴的には、額の上方に開口部５を有するツノ部４が形成される。そして、このツノ部４は立ち上がり部31が支えの役割を果たすことにより、ピンと立った状態を保持することとなり、ドーマー状のきれいなツノ部４が形成されることとなる。
【００７６】
すなわち、従来まで手練れた者でなければ形成するのが困難であったサージが、本考案にかかる祭事用頭巾１を用いることにより、容易に、しかも、立派なエイサー用の祭事用頭巾（サージ）を形成することができるのである。
【００７７】
換言すれば、本考案によれば、サージの巻き方を知らない者や、子供や観光客であっても容易にサージを形成することができる。また、図柄の位置の固定が容易であるため、所望の位置に柄を配置することのできる新しい感覚の祭事用頭巾を提供することができる。
【００７８】
最後に、上述した実施の形態の説明は本考案の一例であり、本考案は上述の実施の形態に限定されることはない。このため、上述した各実施の形態以外であっても、本考案に係る技術的思想を逸脱しない範囲であれば、設計等に応じて種々の変更が可能であることはもちろんである。
【００７９】
例えば、本実施形態に示した祭事用頭巾１の構成では、１枚の長布10を用いて左右巻き締め部３，３を形成しているが、たとえば、頭巾本体２の左右側部に、別部材２枚の長布を逢着し、この長布を左右巻き締め部３，３とするようにしても良い。
【００８０】
また、長布10や頭巾本体形成布20の長さや大きさ、ツノ部４の形状や大きさ、縫い方や縫う長さは適宜変更可能であることは勿論である。
【図面の簡単な説明】
【００８１】
【図１】本実施形態にかかる祭事用頭巾１の外観を示す説明図である。
【図２】本実施形態にかかる祭事用頭巾１の長布10と頭巾本体形成布20とを示した説明図である。
【図３】本実施形態にかかる祭事用頭巾１の長布10と頭巾本体形成布20とを逢着する様子を示した説明図である。
【図４】本実施形態にかかる祭事用頭巾１の装着の様子を示した説明図である。
【図５】従来技術を示す説明図である。
【図６】従来のエイサーの形成方法を示した説明図である。
【符号の説明】
【００８２】
１  祭事用頭巾
２  頭巾本体
３  左右巻き締め部
４  ツノ部
５  開口部
10  長布
32  周端縁
33  下面開口部
34  縁部
【図１】
0003133560.tif 000003
【図２】
0003133560.tif 000004
【図３】
0003133560.tif 000005
【図４】
0003133560.tif 000006
【図５】
0003133560.tif 000007
【図６】
0003133560.tif 000008
【手続補正書】
【提出日】平成19年5月11日(2007.5.11)
【手続補正１】
【補正対象書類名】実用新案登録請求の範囲
【補正対象項目名】全文
【補正方法】変更
【補正の内容】
【実用新案登録請求の範囲】
【請求項１】
布体からなる縁無帽状の頭巾本体と、
この頭巾本体の下面開口部の周端縁にそれぞれ長手側縁部の一部を連接するとともに、前記頭巾本体の後方へそれぞれ伸延する帯状の左右巻き締め部と、
を有し、
前記頭巾本体の前側部に前面開口のツノ部をドーマー状に形成したことを特徴とする祭事用頭巾。
【請求項２】
前記巻き締め部は、幅方向に幾重に巻き上げてロープ状に形成可能であり、かつ、頭部の鉢周りに巻回可能であることを特徴とする請求項１に記載の祭事用頭巾。
【請求項３】
前記頭巾本体は、前記巻き締め部と同質の布体からなり、後頭部から頭頂部にかけて緩やかに湾曲させた被覆部を前頭部側にせり出して形成し、このせり出した端部を前記ツノ部としたことを特徴とする請求項１または請求項２に記載の祭事用頭巾。
【手続補正２】
【補正対象書類名】明細書
【補正対象項目名】０００２
【補正方法】変更
【補正の内容】
【０００２】
従来、頭巾は頭髪の乱れを隠したり、頭部を保護するために使用されており（例えば、特許文献１参照）、また、祭事の際には伝統衣装としても着用されている。